(57)【要約】【課題】  片手で蓋付容器の蓋を容易に開閉することができるようにする。【解決手段】  開口を有した容器本体１１と、容器本体１１の開口にネジ手段によりネジ込まれる蓋１２とを有した蓋付容器１０の蓋１２を開閉する際に用い、一端２１側が支持体４０に支持され容器本体１１に巻き掛け可能な索体２０と、索体２０の他端２２に設けられ巻き掛けられた索体２０と容器本体１１との間に介在して容器本体１１に摩擦的に係合する係合部材３０とを備え、係合部材３０を容器本体１１を転動するローラ３１で構成し、ローラ３１を索体２０の他端２２に回動可能に設け、ローラ３１を、容器本体１１に弾接する弾性部材３７を備えて構成した。【選択図】  図１
2006062693.tif 000002
【特許請求の範囲】
【請求項１】
開口を有した容器本体と、該容器本体の開口にネジ手段によりネジ込まれる蓋とを有した蓋付容器の当該蓋を開閉する際に用いる蓋付容器用蓋開閉補助具において、
一端側が支持体に支持され容器本体に巻き掛け可能な索体と、該索体の他端に設けられ巻き掛けられた索体と容器本体との間に介在して容器本体に摩擦的に係合する係合部材とを備えたことを特徴とする蓋付容器用蓋開閉補助具。
【請求項２】
上記係合部材を上記容器本体を転動するローラで構成し、該ローラを上記索体の他端に回動可能に設けたことを特徴とする請求項１記載の蓋付容器用蓋開閉補助具。
【請求項３】
上記ローラを、上記容器本体に弾接する弾性部材を備えて構成したことを特徴とする請求項２記載の蓋付容器用蓋開閉補助具。
【請求項４】
上記索体の一端側に、上記支持体に支持するための支持部を形成したことを特徴とする請求項１，２または３記載の蓋付容器用蓋開閉補助具。
【請求項５】
上記支持部を、リング状に形成したことを特徴とする請求項４記載の蓋付容器用蓋開閉補助具。
【請求項６】
上記支持体を、ベース部材と、該ベース部材に設けられ設置物に固定するための固定機構と、上記索体の一端側を上記ベース部材に固定するためのクランパとを備えたことを特徴とする請求項１，２，３，４または５記載の蓋付容器用蓋開閉補助具。
【請求項７】
上記クランパを、上記ベース部材に立設され上記索体が引き通されるスリットを有した板と、上記ベース部材に偏心して回転可能に設けられ、上記スリットに引き通された上記索体を回転により上記板に押し付ける回転駒とを備えて構成したことを特徴とする請求項６記載の蓋付容器用蓋開閉補助具。
【発明の詳細な説明】
【技術分野】
【０００１】
本発明は、容器本体の開口にネジ手段によりネジ込まれた蓋を容易に開閉できるようにした蓋付容器用蓋開閉補助具に関する。
【背景技術】
【０００２】
従来、この種の蓋付容器用蓋開閉補助具としては、例えば、特許文献１（特開２００１−１１４３９３号公報）に記載されたものが知られている。
【０００３】
図１０に示すように、この蓋付容器用蓋開閉補助具Ｓａは、厚さ３ｍｍの柔軟なポリエチレンシートを、幅３０ｍｍ、長さ５０ｃｍに裁断して形成されるベルト状体１を備えている。このベルト状体１の一端の内側面には、蓋付容器の蓋２の側面に仮固着するための取付部３が設けられている。取付部３は、厚み２ｍｍ、長さ４ｃｍ程度の粘着層で構成されている。
従って、この蓋付容器用蓋開閉補助具Ｓａを用いて蓋付容器の蓋２を開ける場合には、蓋付容器の蓋２の側面にベルト状体１の取付部３を押し当てて仮固着させ、ベルト状体１を蓋付容器の蓋２の回りに巻き付ける。巻き付け方向は、蓋２を開ける方向である。そして、この状態で一方の手でベルト状体１が巻き付けられた蓋２を握り、他方の手で蓋付容器の容器本体（図示せず）を握り、両手で蓋２と容器本体とを蓋２を開ける方向へ相対回転させて蓋２を開ける。
【０００４】
【特許文献１】特開２００１−１１４３９３号公報
【発明の開示】
【発明が解決しようとする課題】
【０００５】
ところで、このような上記従来の蓋付容器用蓋開閉補助具Ｓａにあっては、蓋付容器用蓋開閉補助具Ｓａを巻き付けた蓋２と容器本体とを別々に握る必要があるので、片方の手が不自由な人がこの蓋付容器用蓋開閉補助具Ｓａを使用しても、手で蓋２と容器本体とを別々に握り込むことができないので、蓋２と容器本体とを相対回転できないことになり、蓋付容器の蓋２を開けることができないという問題がある。
【０００６】
本発明は上記の問題点に鑑みて為されたもので、片手で蓋付容器の蓋を容易に開閉することができるようにした蓋付容器用蓋開閉補助具を提供することを目的とする。
【課題を解決するための手段】
【０００７】
このような目的を達成するための本発明の蓋付容器用蓋開閉補助具は、開口を有した容器本体と、該容器本体の開口にネジ手段によりネジ込まれる蓋とを有した蓋付容器の当該蓋を開閉する際に用いる蓋付容器用蓋開閉補助具において、一端側が支持体に支持され容器本体に巻き掛け可能な索体と、該索体の他端に設けられ巻き掛けられた索体と容器本体との間に介在して容器本体に摩擦的に係合する係合部材とを備えている。
【０００８】
この蓋付容器用蓋開閉補助具を用いて、蓋付容器の蓋を開ける場合には、まず、索体の一端側を支持体に支持するとともに、この索体を索体の他端側に設けた係合部材とともに蓋を開ける回転方向に容器本体に巻き掛け、この状態で蓋付容器の蓋を開ける方向に回す。この際、蓋とともに容器本体も回転するが、索体と容器本体が摩擦的に係合し、しかも、索体の一端側が支持体に支持されているので、索体が容器本体に巻き付いていき、索体が容器本体を締め付けていく。そのため、容器本体がロックされて動きが止まり、蓋及び容器本体間の摩擦力に抗して蓋と容器本体とが相対回転するようになり、容器本体から蓋が開けられる。また、この際、容器本体は、索体により摩擦的に係合部材と係合してロックされているので、容器本体を蓋を回転させる手とは別の手で握って押さえなくてもよくなり、単に蓋を回転させるだけで蓋が開けられるようになる。そのため、蓋と容器本体とを別々に握り込まなくても蓋が開けられるので、片方の手が不自由な人であっても、蓋と容器本体とを相対回転でき、そのため、蓋付容器の蓋を容易に開けることができる。
【０００９】
また、この蓋付容器用蓋開閉補助具を使用して容器本体に蓋を閉める場合には、索体の一端側を支持体に支持するとともに、この索体を索体の他端側に設けた係合部材とともに蓋を閉める回転方向に容器本体に巻き掛け、この状態で蓋付容器を蓋を閉める方向に回す。ある程度、容器本体の周囲に索体が巻き掛けられたら、蓋を容器本体に被せ、この蓋を握って更に蓋を閉める方向に回転させる。この際、蓋と容器本体とが相対回転するようになり、容器本体に対して蓋が閉められていく。そして、ある程度閉まると、蓋と容器本体の間に生じた摩擦力により、蓋の回転に従って容器本体も回転する。この際、索体と容器本体が摩擦的に係合し、しかも、索体の一端側が支持体に支持されているので、索体が容器本体に巻き付いていき、索体が容器本体を締め付けていく。そのため、容器本体がロックされて動きが止まり、蓋が容器本体に対して相対回転し容器本体に締め付けられていく。また、この際、容器本体は、索体により摩擦的に係合部材と係合してロックされているので、容器本体を蓋を回転させる手とは別の手で握って押さえなくてもよくなり、単に蓋を回転させるだけで蓋をよく閉められるようになる。そのため、蓋と容器とを別々に握り込まなくてもよくなり、片方の手が不自由な人であっても、蓋と容器本体とを相対回転でき、そのため、蓋付容器の蓋を容易に閉めることができる。
これにより、蓋を開けるための専用の補助具と蓋を閉めるための専用の補助具とを別々に用意しなくても、この蓋付容器用蓋開閉補助具１台で蓋付容器の蓋を開けることも閉めることもできるようになる。
【００１０】
また、必要に応じ、上記係合部材を上記容器本体を転動するローラで構成し、該ローラを上記索体の他端に回動可能に設けている。
この蓋付容器用蓋開閉補助具を用いて蓋付容器の蓋を開ける場合には、蓋付容器の容器本体の外周面にローラを当接し、蓋付容器の蓋を開ける方向に索体を容器本体の周囲にローラとともに巻き掛ける。この状態で蓋付容器を蓋を開ける方向に回し、ある程度、容器本体の周囲に索体が巻き掛けられたら、蓋付容器の蓋を握って、更に蓋付容器の蓋を開ける方向に蓋付容器を回転させる。この際、蓋及び容器本体間の摩擦により、容器本体も回転し、この容器本体の回転に従って容器本体に当接したローラも回転するようになる。ローラが回転すると、索体の他端側を一端側に引っ張る方向に力が作用して、容器本体の周囲の索体が徐々に締まっていく。この場合、ローラが回転するので、その分、索体の容器本体への締まりが速く行なわれ、それだけ、作業性が向上させられる。そのため、容器本体がロックされて動きが止まり、蓋及び容器本体間の摩擦力に抗して蓋と容器本体とが相対回転するようになり、容器本体から蓋が開けられる。
【００１１】
一方、この蓋付容器用蓋開閉補助具を使用して容器本体に蓋を閉める場合には、例えば、容器本体の外周面にローラを当接し、索体を蓋を閉める方向に容器本体の周囲にローラとともに巻き掛け、この状態で容器本体を蓋を閉める方向に回す。ある程度、容器本体の周囲に索体が巻き掛けられたら、蓋を容器本体に被せ、この蓋を握って更に蓋を閉める方向に回転させる。この際、蓋と容器本体とが相対回転するようになり、容器本体に対して蓋が閉められていく。そして、ある程度閉まると、蓋と容器本体の間に生じた摩擦力により、蓋の回転に従って容器本体も回転する。この際、蓋及び容器本体間の摩擦により、容器本体も回転し、この容器本体の回転に従って容器本体に当接したローラも回転するようになる。ローラが回転すると、索体の他端側を一端側に引っ張る方向に力が作用して、容器本体の周囲の索体が徐々に締まっていく。この場合、ローラが回転するので、その分、索体の容器本体への締まりが速く行なわれ、それだけ、作業性が向上させられる。そのため、容器本体がロックされて動きが止まり、蓋と容器本体とが相対回転するようになり、容器本体に蓋が閉められる。
【００１２】
更に、必要に応じ、上記ローラを、上記容器本体に弾接する弾性部材を備えて構成している。
この場合、弾性部材により、容器本体の外周面及び索体にローラがよく密着するようになり、ローラの回動が確実になり、索体の容器本体への締まりがより速く行なわれ、それだけ、作業性が向上させられる。
【００１３】
更にまた、必要に応じ、上記索体の一端側に、上記支持体に支持するための支持部を形成している。支持部を設けたので、支持体への支持が容易に行なわれる。
【００１４】
そしてまた、必要に応じ、上記支持部を、リング状に形成している。
支持部をリング状に形成したので、支持体に引っかけて支持する等、容易に係止することができるようになり、操作性が向上させられる。
【００１５】
また、必要に応じ、上記支持体を、ベース部材と、該ベース部材に設けられ設置物に固定するための固定機構と、上記索体の一端側を上記ベース部材に固定するためのクランパとを備えている。
この場合、索体の一端を固定する際は、固定機構によりベース部材を設置物に固定し、索体の一端側をクランパで固定する。そのため、支持体に索体を支持するので、支持が確実になり、それだけ、作業性が向上させられる。
【００１６】
更に、必要に応じ、上記クランパを、上記ベース部材に立設され上記索体が引き通されるスリットを有した板と、上記ベース部材に偏心して回転可能に設けられ、上記スリットに引き通された上記索体を回転により上記板に押し付ける回転駒とを備えて構成している。
この場合、クランパの回転駒を回転させるという簡単な操作で索体をベース部材に支持させることができる。この操作は、片手が不自由であっても行なうことができるので、操作が容易に行なわれる。
【発明の効果】
【００１７】
本発明の蓋付容器用蓋開閉補助具によれば、一端側が支持体に支持され容器本体に巻き掛け可能な索体と、索体の他端に設けられ巻き掛けられた索体と容器本体との間に介在して容器本体に摩擦的に係合する係合部材とを備えたので、索体の一端側を支持体に支持して索体を容器本体に締め付けることができ、そのため、容器本体を索体にロックして動きを止めることができ、蓋及び容器本体間の摩擦力に抗して蓋と容器本体とを相対回転させて容器本体に対する蓋の開閉を行なうことができる。このため、蓋と容器とを別々に握り込まなくても蓋が開けられるので、片方の手が不自由な人であっても、蓋付容器の蓋の開閉を容易に行なうことができる。
【発明を実施するための最良の形態】
【００１８】
以下、添付図面に基づいて、本発明の実施の形態に係る蓋付容器用蓋開閉補助具について詳細に説明する。
【００１９】
図１乃至図５には、蓋付容器用蓋開閉補助具Ｓを示している。この蓋付容器用蓋開閉補助具Ｓは、開口を有した容器本体１１と、容器本体１１の開口にネジ手段によりネジ込まれる蓋１２とを有した蓋付容器１０の蓋１２を開閉する際に用いるものである。実施の形態に係る蓋付容器用蓋開閉補助具Ｓにおいては、蓋１２に雌ネジを有し、容器本体１１に蓋１２の雌ネジに螺合する雄ネジを有した蓋付容器１０であって、この蓋付容器１０のネジ手段が順ネジのものについて説明する。本発明の実施の形態においては、図１に示すように、蓋付容器１０は、樹脂製の蓋付容器である所謂ペットボトルで構成した。
詳しくは、蓋付容器用蓋開閉補助具Ｓは、一端２１側が支持体４０に支持され容器本体１１に巻き掛け可能な索体２０と、索体２０の他端２２に設けられ巻き掛けられた索体２０と容器本体１１との間に介在して容器本体１１に摩擦的に係合する係合部材３０とを備えて構成されている。
【００２０】
索体２０は、手芸用しんベルトで構成されている。また、索体２０には、支持体４０に支持するための支持部２５を形成している。支持部２５は、リング状に形成されている。この支持部２５は、索体２０の一端２１側を折り返すとともに、一端部２１ａを索体２０に縫い付けて形成されている。
【００２１】
係合部材３０は、容器本体１１を転動するローラ３１で構成され、索体２０の他端２２に回動可能に設けられている。実施の形態に係るローラ３１の具体的な構成は、ステンレス製で円筒形状の円筒部材３６で構成されている。また、ローラ３１は、容器本体１１に弾接する弾性部材３７を備えて構成されている。弾性部材３７は、例えば、ビニル，ナイロン，ゴム等の弾性を有した樹脂製のホースで構成されている。このホースには、内部に金属で形成された円筒部材３６が挿通されている。
更に、係合部材３０のローラ３１は、索体２０の他端２２に軸支部材３２を介して回動可能に設けられている。軸支部材３２は、略コ字状に形成され、相対向する両端部３３の内側に、円筒部材３６の孔３６ａに両端から挿入されて円筒部材３６を回動可能に軸支する円柱形状の軸支部３４を備えている。軸支部材３２の中間部３５は、索体２０の他端２２側が折り返されてなる輪２３の中に挿通されている。索体２０の他端部２２ａは、索体２０に縫い付けられている。
【００２２】
支持体４０は、ベース部材４１と、ベース部材４１に設けられ設置物に固定するための固定機構４２と、索体２０の一端２１側をベース部材４１に固定するためのクランパ５０とを備えている。実施の形態においては、設置物は机で構成され、支持体４０は、固定機構４２により机の天板１５に固定可能な構造に形成した。
ベース部材４１は、矩形状のステンレス製の板材で構成されている。ベース部材４１の裏面には板状の弾性体４１ａ（実施の形態ではゴム製の板材）が設けられている。固定機構４２は、ベース部材４１の下方に相対向する板状の先端部４４及びこの先端部４４とベース部材４１の４辺のうちいずれか１辺に架け渡されて設けられる板状の基端部４５を備えた断面Ｌ字状のＬ字状部材４３と、Ｌ字状部材４３の先端部４４の中央に設けられた雌ネジ４４ａにネジ込まれる雄ネジ４６と、この雄ネジ４６を回動させるハンドル４８とを備えて構成されている。Ｌ字状部材４３は、ステンレス製の板材で折曲形成され、ベース部材４１と一体になっている。雄ネジ４６の先端には、ボルト４７ａにより軸支されて雄ネジ４６の軸を中心に回動可能に設けられる矩形状の回動部材４７が備えられている。ハンドル４８は、雄ネジ４６の基端に設けられている。また、ハンドル４８は、雄ネジ４６の軸に対して直交する方向に挿通される棒体４８ａを備えている。
【００２３】
クランパ５０は、ベース部材４１に立設され索体２０が引き通されるスリット５２を有した板５１と、ベース部材４１に偏心して回転可能に設けられ、スリット５２に引き通された索体２０を回転により板５１に押し付ける回転駒５５とを備えて構成されている。
板５１は、ステンレスで形成され、ベース部材４１のＬ字状部材４３の設けられる辺の相対向する辺に立設され、ベース部材４１に一体に設けられている。回転駒５５は、例えば、ステンレスにより円柱形状に形成されている。回転駒５５には、回転駒５５の中心から偏心した円形の孔５６が穿設されている。孔５６には、板５１のスリット５２の近傍であってベース部材４１に立設された断面円形の回転軸４９が挿通され、回転駒５５は回転軸４９を軸に回転させられる。また、回転駒５５には、回転駒５５を回転させるためのレバー５７が備えられている。レバー５７は、回転駒５５の外周に突設されている。
【００２４】
従って、この蓋付容器用蓋開閉補助具Ｓを用いる場合には、まず、固定機構４２により支持体４０を机に固定する。この際、机の天板１５を、ベース部材４１とＬ字状部材４３の先端部４４との間に差し入れ、天板１５の上面をベース部材４１の弾性体４１ａに当接するとともに天板１５の端縁をＬ字状部材４３の基端部４５に当接し、ハンドル４８の棒体４８ａを回転して雄ネジ４６をＬ字状部材４３の先端部４４の雌ネジ４４ａにネジ込んでいき、雄ネジ４６の先端の回動部材４７とベース部材４１の弾性体４１ａとにより机の天板１５を挟む。
この場合、ハンドル４８は、片手で操作が可能なので、ベース部材４１を片手で机に固定できるようになる。そのため、片手が不自由であってもベース部材４１を机に固定できる。
【００２５】
そして、図１及び図４に示すように、レバー５７により回転駒５５を回動し、回転駒５５の肉薄の部位を板５１側に向けて、スリット５２に索体２０の一端２１側を引き通し、更に、レバー５７により回転駒５５を回転して、回転駒５５の肉厚の部位を板５１側に向けて、板５１と回転駒５５とによりスリット５２に引き通した索体２０を挾持する。
これにより、支持体４０に索体２０を支持するので、支持が確実になる。また、この場合、クランパ５０の回転駒５５を回転させるという簡単な操作で索体２０をベース部材４１に支持させることができる。この操作は、片手が不自由であっても行なうことができるので、操作が容易に行なわれる。
【００２６】
次に、蓋１２を開けたい蓋付容器１０を用意し、この蓋付容器１０の容器本体１１の外周面にローラ３１を当接し、索体２０を上から見て時計回りの方向に容器本体１１の周囲にローラ３１とともに巻き掛け、この状態で蓋付容器１０を上から見て反時計回りに回す。ある程度、容器本体１１の周囲に索体２０が巻き掛けられたら、蓋付容器１０の蓋１２を片方の手１６で握って、上から見て反時計回りに回転させる。この際、蓋１２及び容器本体１１間の摩擦により、蓋１２とともに容器本体１１も回転するが、索体２０と容器本体１１が摩擦的に係合し、しかも、索体２０の一端２１側が支持体４０に支持されているので、索体２０が容器本体１１に巻き付いていき、索体２０が容器本体１１を締め付けていく。この際、この容器本体１１の回転に従って容器本体１１に当接したローラ３１も回転するようになる。ローラ３１が回転すると、索体２０の他端２２を一端２１側に引っ張る方向に力が作用して、容器本体１１の周囲の索体２０が徐々に締まっていく。そして、締まった索体２０により、容器本体１１と索体２０とが徐々に摩擦的に係合し、容器本体１１がロックされていき、容器本体１１がロックされて動きが止まり、蓋１２及び容器本体１１間の摩擦力に抗して蓋１２と容器本体１１とが相対回転するようになり、容器本体１１から蓋１２が開けられる。
【００２７】
この際、ローラ３１が回転するので、その分、索体２０の容器本体１１への締まりが速く行なわれ、それだけ、作業性が向上させられる。
また、この際、ローラ３１を容器本体１１に弾接する弾性部材３７を備えて構成したので、容器本体１１の外周面及び索体２０にローラ３１がよく密着するようになり、ローラ３１の回動が確実になり、索体２０の容器本体１１への締まりがより速く行なわれ、それだけ作業性が向上させられる。
また、この際、容器本体１１は、索体２０により摩擦的に係合部材３０であるローラ３１と係合してロックされているので、容器本体１１を蓋１２を回転させる手１６とは別の手で握って押さえなくてもよくなり、単に蓋１２を回転させるだけで蓋１２が開けられるようになる。そのため、蓋１２と容器本体１１とを別々に握り込まなくても蓋１２が開けられるので、片方の手が不自由な人であっても、蓋１２と容器本体１１とを相対回転でき、そのため、蓋付容器１０の蓋１２を容易に開けることができる。
更に、この際、索体２０は、支持体４０に支持されているので、それだけ、作業性が向上させられる。また、索体２０は、回転駒５５と板５１で挾持して支持されているので、索体２０の支持が確実になり、蓋付容器１０の蓋１２を容易に開けることができる。
【００２８】
一方、この蓋付容器用蓋開閉補助具Ｓを使用して容器本体１１に蓋１２を閉める場合には、図５に示すように、例えば、容器本体１１の外周面にローラ３１を当接し、索体２０を上から見て反時計回りの方向に容器本体１１の周囲にローラ３１とともに巻き掛け、この状態で蓋付容器１０を上から見て時計回りに回す。ある程度、容器本体１１の周囲に索体２０が巻き掛けられたら、蓋１２を容器本体１１に被せ、この蓋１２を手１６で握って上から見て時計回りに回転させる。この際、蓋１２と容器本体１１とが相対回転するようになり、容器本体１１に対して蓋１２が閉められていく。そして、ある程度閉まると、蓋１２と容器本体１１の間に生じた摩擦力により、蓋１２の回転に従って容器本体１１も回転する。この際、索体２０と容器本体１１が摩擦的に係合し、しかも、索体２０の一端２１側が支持体４０に支持されているので、索体２０が容器本体１１に巻き付いていく。また、この容器本体１１の回転に従って容器本体１１に当接したローラ３１も回転するようになり、ローラ３１が回転すると、索体２０の他端２２側を一端２１側に引っ張る方向に力が作用して、索体２０が締まり容器本体１１を徐々に締め付けていく。索体２０が巻き付いて締まるに従って、容器本体１１と索体２０とが摩擦的に係合し、容器本体１１がロックされていく。容器本体１１がロックされ、容器本体１１の動きが止まると、蓋１２と容器本体１１とが更に相対回転するようになり、蓋１２が容器本体１１に対してよく閉められる。
【００２９】
この際、ローラ３１が回転するので、その分、索体２０の容器本体１１への締まりが速く行なわれ、それだけ、作業性が向上させられる。
また、この際、容器本体１１は、索体２０により摩擦的に係合部材３０と係合してロックされているので、容器本体１１を蓋１２を回転させる手１６とは別の手で握って押さえなくてもよくなり、単に蓋１２を回転させるだけで蓋１２をよく閉められるようになる。そのため、蓋１２と容器本体１１とを別々に握り込まなくてもよくなり、片方の手が不自由な人であっても、蓋１２と容器本体１１とを相対回転でき、そのため、蓋付容器１０の蓋１２を容易に閉めることができる。
これにより、蓋付容器用蓋開閉補助具Ｓ１台で、蓋１２を開けることも閉めることもできるようになる。
【００３０】
また、蓋付容器用蓋開閉補助具Ｓを使用する際に、上記のような設置物に固定するための支持体４０が無くても索体２０だけでも蓋１２の開閉を行なうことができる。この場合、例えば、図６に示すように、索体２０の一端２１側にリング状に形成した支持部２５に支持体としての足４０ａを通しておき、この状態で、上記と同様に、索体２０を容器本体１１に上から見て時計回りに巻き掛け、蓋１２を持って蓋１２を上から見て反時計回りに回転させる。この場合も、上記と同様の作用により、同様の効果を得られ、容器本体１１から蓋１２を開けることができる。また、蓋１２を閉める場合も、上記と同様にして、索体２０を容器本体１１に上から見て反時計回りに巻き掛けて、蓋１２を容器本体１１に被せて蓋１２を持って上から見て時計回りに蓋１２を回していく。この場合も、上記と同様の作用により、同様の効果を得られ、容器本体１１に蓋１２を閉めることができる。
【００３１】
図７には、本発明の別の実施の形態に係る蓋付容器用蓋開閉補助具の係合部材３０ａを示している。この蓋付容器用蓋開閉補助具の係合部材３０ａは、軸支部材が上記のものと異なり、長方形のリング状に折曲形成されたステンレス製の針金６０により構成されている。この軸支部材３２ａは、隣り合う長辺と短辺により形成される角に形成され、長辺かまたは短辺のいずれか一方（実施の形態では短辺６２）を折り曲げて形成される係止部６１に、いずれか他方（実施の形態では長辺６３）を係止部６１に係止して形成されている。この軸支部材３２ａの相対向する長辺のうち、一方側の長辺６３はローラ３１の円筒部材３６の孔３６ａに挿通されている。軸支部材３２ａの他方側の長辺６４は、索体２０の他端２２に形成された輪２３の中に挿通されている。この場合、針金６０で容易にローラ３１を索体２０の他端２２に回動可能に設けることができ、製造コストが低減される。その他の作用，効果は、上記のものと同様である。
【００３２】
また、図８には、本発明のまた別の実施の形態に係る蓋付容器用蓋開閉補助具の支持部２５ａを示している。この支持部２５ａは、索体２０の一端部２１ａにハトメ２７により形成された孔５６に挿通されたリング状の紐２８により構成されている。このリング状の紐２８に、例えば、支持体としての足や足の指等を挿通することにより索体２０を支持する。その他の作用，効果は上記のものと同様である。
【００３３】
更に、図９には、本発明の更に別の実施の形態に係る蓋付容器用蓋開閉補助具の支持体４０を示している。支持体４０は、回転駒５５ａが上記と異なっている。この回転駒５５ａは、長手方向の両端が弧状に形成され断面小判形に形成されている。回転駒５５ａの一端５８の外周縁の近くには回転軸４９が挿通される孔５６が形成されている。孔５６は、回転駒５５ａの一端５８側の円弧の中心から偏心して設けられている。この回転駒５５ａを回転軸４９を軸に回転させる場合には、上記の回転駒５５のレバー５７の代わりに回転駒５５ａの他端５９を持って回転させる。その他の作用，効果は、上記のものと同様である。
【００３４】
尚、蓋付容器１０をペットボトルで構成したが、これに限定されるものでなく、例えば、蓋付のガラス製の瓶のような、索体２０が巻き掛け可能なものであればよい。
尚また、図１，図４乃至図６では、蓋付容器用蓋開閉補助具Ｓは、蓋付容器１０の容器本体１１を断面円形状のものに適用したがこれに限定されるものでなく、断面楕円形状、断面多角形状等の種々の形状のものに適用できる。
また、ネジ手段が順ネジのもので説明したが、これに限定されるものでなく、逆ネジのものであってもよい。この場合には、索体２０を容器本体１１に対して巻き掛ける方向を順ネジの場合とは逆にすることで対応できる。
尚また、リング状の支持部２５に挿通する支持体を足４０ａとしたが、これに限定されるものでなく、リング状の支持部２５に通すことができ、かつ、索体２０を支持できるものであればよい。
【図面の簡単な説明】
【００３５】
【図１】本発明の実施の形態に係る蓋付容器用蓋開閉補助具を示す斜視図である。
【図２】本発明の実施の形態に係る蓋付容器用蓋開閉補助具の索体を示す図である。
【図３】本発明の実施の形態に係る蓋付容器用蓋開閉補助具の支持体を示す分解斜視図である。
【図４】本発明の実施の形態に係る蓋付容器用蓋開閉補助具の蓋を開ける際の作用を示す平面図である。
【図５】本発明の実施の形態に係る蓋付容器用蓋開閉補助具の蓋を閉める際の作用を示す平面図である。
【図６】本発明の実施の形態に係る蓋付容器用蓋開閉補助具を示す斜視図である。
【図７】本発明の別の実施の形態に係る蓋付容器用蓋開閉補助具の係合部材を示す図である。
【図８】本発明のまた別の実施の形態に係る蓋付容器用蓋開閉補助具の支持部を示す図である。
【図９】本発明の更に別の実施の形態に係る蓋付容器用蓋開閉補助具の支持体を示す図である。
【図１０】従来の蓋付容器用蓋開閉補助具の一例を示す図である。
【符号の説明】
【００３６】
Ｓ  蓋付容器用蓋開閉補助具
１０  蓋付容器
１１  容器本体
１２  蓋
１５  机の天板
１６  手
２０  索体
２１  一端
２１ａ  一端部
２２  他端
２５，２５ａ  支持部
２７  ハトメ
２８  紐
３０，３０ａ  係合部材
３１  ローラ
３２，３２ａ  軸支部材
３３  両端部
３４  軸支部
３５  中間部
３６  円筒部材
３６ａ  孔
３７  弾性部材
４０  支持体
４１  ベース部材
４１ａ  弾性体
４２  固定機構
４３  Ｌ字状部材
４４  先端部
４４ａ  雌ネジ
４５  基端部
４６  雄ネジ
４７  回動部材
４８  ハンドル
４８ａ  棒体
４９  回転軸
５０  クランパ
５１  板
５２  スリット
５５，５５ａ  回転駒
５６  孔
５７  レバー
５８  回転駒の一端
５９  回転駒の他端
６０  針金
６１  係止部
６２  短辺
６３，６４  長辺
【図１】
2006062693.tif 000003
【図２】
2006062693.tif 000004
【図３】
2006062693.tif 000005
【図４】
2006062693.tif 000006
【図５】
2006062693.tif 000007
【図６】
2006062693.tif 000008
【図７】
2006062693.tif 000009
【図８】
2006062693.tif 000010
【図９】
2006062693.tif 000011
【図１０】
2006062693.tif 000012